(57)【特許請求の範囲】
【請求項１】
ティルトレンズが装着可能であり、撮像画像を表示する表示手段を備えた撮像装置であって、
前記ティルトレンズにおける光軸周りの回転角度を示すレンズ情報を取得する取得手段と、
前記取得手段により取得したレンズ情報が示す光軸周りの回転角度に応じて、前記撮像装置に対して水平方向または垂直方向から回転させたラインを、前記撮像画像に重畳して表示するように前記表示手段を制御する制御手段と
を備えたことを特徴とする撮像装置。
【請求項２】
前記制御手段は、前記撮像装置に対して水平方向または垂直方向から回転させたラインと共に、前記撮像装置に対して水平方向または／及び垂直方向を示すラインを前記表示手段に表示させることを特徴とする請求項１記載の撮像装置。
【請求項３】
前記ティルトレンズは、撮像面に対する光軸角度及び光軸周りの回転角度を変化させることが可能であり、
前記光軸角度を変化させてピントの合う面を前記撮像面と非平行にすることにより、ピントの合う範囲を調節可能であることを特徴とする請求項１または２に記載の撮像装置。
【請求項４】
前記制御手段は、前記光軸角度を変化させた場合にピントの合う範囲が変化する方向と垂直なラインを前記表示手段に表示させることを特徴とする請求項３に記載の撮像装置。
【請求項５】
前記制御手段は、前記光軸角度を変化させた場合にピントの合う範囲が変化する方向と垂直なラインを、前記光軸周りの回転角度に応じて回転させて表示することを特徴とする請求項４に記載の撮像装置。
【請求項６】
前記制御手段は、前記ピントが合う範囲が変化する方向を示すライン、及び、当該ラインと直交するラインを、格子状で表示させることを特徴とする請求項３ないし５のいずれか１項に記載の撮像装置。
【請求項７】
画像の拡大表示の指示が入力されたことに応じて、前記画像の一部領域を拡大して前記表示手段に表示させる拡大表示手段を有し、
前記拡大表示手段は、前記光軸周りの回転角度に応じて回転された画像を表示することを特徴とする請求項１乃至６のいずれか１項に記載の撮像装置。
【請求項８】
前記制御手段は、撮像画像に基づくライブビューの表示時、または、記録媒体に記録する撮像画像の確認表示時に、前記ラインを撮像画像に重畳させて表示することを特徴とする請求項１に記載の撮像装置。
【請求項９】
ティルトレンズが装着可能であり、撮像画像を表示する表示手段を備えた撮像装置の制御方法であって、
前記ティルトレンズにおける光軸周りの回転角度を示すレンズ情報を取得する取得ステップと、
前記取得ステップにより取得したレンズ情報が示す光軸周りの回転角度に応じて、前記撮像装置に対して水平方向または垂直方向から回転させたラインを、前記撮像画像に重畳して表示するように前記表示手段を制御する制御ステップと
を備えたことを特徴とする制御方法。
【請求項１０】
ティルトレンズが装着可能であり、撮像画像を表示する表示手段を備えた撮像装置の制御方法をコンピュータに実行させるためのプログラムであって、
前記制御方法は、
前記ティルトレンズにおける光軸周りの回転角度を示すレンズ情報を取得する取得ステップと、
前記取得ステップにより取得したレンズ情報が示す光軸周りの回転角度に応じて、前記撮像装置に対して水平方向または垂直方向から回転させたラインを、前記撮像画像に重畳して表示するように前記表示手段を制御する制御ステップと
を備えたことを特徴とするプログラム。
【発明の詳細な説明】
【技術分野】
【０００１】
本発明は、撮像装置及びその制御方法、並びにプログラムに関し、特に、ティルトレンズが装着可能な撮像装置及びその制御方法、並びにプログラムに関する。
【背景技術】
【０００２】
ライブビュー撮像時のスルー画像への構図をアシストする為のライン重畳表示に関し、レンズの種類に応じた構図をアシストする為のラインを表示するというアイデアが開示されている。
【０００３】
例えば、取り付けたレンズの種類を判別した上で、マクロレンズであれば目盛り入りラインを、ティルトレンズやシフトレンズであれば格子線を重畳表示する撮像装置の表示制御が開示されている（例えば、特許文献１参照）。
【先行技術文献】
【特許文献】
【０００４】
【特許文献１】特開２００７−０３６９８３号公報
【発明の概要】
【発明が解決しようとする課題】
【０００５】
しかしながら、上述の特許文献に開示された従来の表示制御技術のように、重畳される構図をアシストする為のラインの横軸が撮像装置に対して常に水平になるように表示されるだけでは、構図の決定が不便なケースがある。その一例としてティルトレンズがある。
【０００６】
このティルトレンズは、主にピントが合う範囲を変えて撮像する目的で使用される。撮像者にとっては、ピントの合う範囲が変化する方向は構図決定に重要な情報である。
【０００７】
また、ティルトレンズは、一般的に光軸周りの回転角度が調節できるが、この回転角度の設定によってピントの合う範囲が変化する方向が変わる。このため、撮像装置に対して常に水平な構図をアシストする為のラインでは構図を決定する際に不便である。
【０００８】
本発明の目的は、ティルトレンズが装着可能な撮像装置において撮像者が容易に構図を決定することを可能とする撮像装置及びその制御方法、並びにプログラムを提供することにある。
【課題を解決するための手段】
【０００９】
上記目的を達成するために、請求項１の撮像装置は、ティルトレンズが装着可能であり、撮像画像を表示する表示手段を備えた撮像装置であって、前記ティルトレンズにおける光軸周りの回転角度を示すレンズ情報を取得する取得手段と、前記取得手段により取得したレンズ情報が示す光軸周りの回転角度に応じて、前記撮像装置に対して水平方向または垂直方向から回転させたラインを、前記撮像画像に重畳して表示するように前記表示手段を制御する制御手段とを備えたことを特徴とする。
【発明の効果】
【００１０】
本発明によれば、ティルトレンズが装着可能な撮像装置において撮像者が容易に構図を決定することを可能とすることができる。
【図面の簡単な説明】
【００１１】
【図１】本発明の実施の形態に係る撮像装置及び撮像レンズの断面図である。
【図２】図１における撮像装置の背面図である。
【図３】図１における撮像装置及び撮像レンズの電気的構成を示す図である。
【図４】ティルトレンズ操作例を示す図である。
【図５】構図をアシストするライン表示例を説明するための図である。
【図６】撮像装置及び撮像レンズにより実行される制御処理の手順を示すシーケンス図である。
【図７】撮像装置により実行される表示処理の手順を示すフローチャートである。
【図８】構図をアシストする他のライン表示例を説明するための図である。
【発明を実施するための形態】
【００１２】
以下、本発明の実施の形態について図面を参照しながら詳述する。
【００１３】
図１は、本発明の実施の形態に係る撮像装置及び撮像レンズの断面図である。
【００１４】
図１において、撮像装置１０１及び撮像レンズ１０３が示されており、撮像装置１０１は、撮像レンズ１０３が装着可能となっている。撮像レンズ１０３は、マウント機構１０２を介して撮像装置１０１に電気的及び機械的に接続される。
【００１５】
また、撮像レンズ１０３は、内部に結像光学系、絞り機構、電子回路基板１０４を有する。
【００１６】
マウント機構１０２の電気的接続部には、電源の他にシリアル通信端子を含み、撮像装置１０１及び撮像レンズ１０３間で双方向通信を行う。具体的な通信内容の例として、撮像装置１０１から撮像レンズ１０３へは、合焦の為のレンズ駆動命令や駆動量などの情報がある。一方、撮像レンズ１０３から撮像装置１０１への通信内容は、撮像レンズ１０３の種類や設定に関する情報などがある。
【００１７】
特にティルトレンズにおいては、撮像面に対する光軸角度、光軸周りの回転角度などのレンズ情報が撮像装置１０１から撮像レンズ１０３へ送信される。上記ティルトレンズは、撮像面に対する光軸角度及び光軸周りの回転角度を変化させることが可能であり、光軸角度を変化させてピントの合う面を撮像面と非平行にすることにより、ピントの合う範囲を調節可能である。
【００１８】
固体撮像素子１３１で捉えられた物体像は、プリント基板１４１に実装される演算処理回路２０３によって画像データに変換され、表示器１４２に表示される。この表示器１４２は、この撮像装置１０１の背面に取り付けられている。すなわち、表示器１４２は、撮像画像を表示する表示手段に対応している。
【００１９】
フォーカシングスクリーン１１１は、物体像の予定結像面に配置されている。レンズ１１３は、撮像時、撮像者が光学ファインダ像を観察するためのレンズであり、実際には複数のレンズで構成されている。フォーカシングスクリーン１１１、ペンタプリズム１１２、レンズ１１３、及びファインダ１１４はファインダ光学系を構成している。
【００２０】
ハーフミラー１２１は、結像光学系からの光路Ｌ１を分割して光学ファインダに供給するための可動型のミラーである。ハーフミラー１２１の背後には可動型のサブミラー１２２が設けられている。
【００２１】
サブミラー１２２は、ハーフミラー１２１を透過した光束のうち、光路Ｌ１の光軸に近い光束を焦点検出部１２３に偏向している。サブミラー１２２は、ハーフミラー１２１の保持部材（不図示）に設けられた回転軸を中心に回転し、ハーフミラー１２１の動きに連動して移動する。また、この焦点検出部１２３は、位相差検出方式により焦点検出を行う。
【００２２】
ハーフミラー１２１とサブミラー１２２からなる光路分割系は以下の２つの状態を持つ。１つは上述のファインダ光学系に光を導くための第１の光路分割状態である。もう１つは、不図示の結像レンズからの光束を直接に固体撮像素子１３１に導くために光路Ｌ１から退避した第２の光路分割状態である。ハーフミラー１２１とサブミラー１２２は、退避時にそれぞれ退避位置１２１ａ，１２２ａに位置する。
【００２３】
フォーカルプレンシャッタ１２４は先幕１２４ａと後幕１２４ｂによって構成される。先幕１２４ａと後幕１２４ｂはそれぞれ複数枚の薄膜遮光素材によって構成され、これらを開閉動作させることにより固体撮像素子１３１への露光量を制御する。
【００２４】
測光部１２５は、光電変換素子によって構成される。マウント側からの入射光の一部がハーフミラー１２１によって分離されて測光部１２５に入射している。そして測光部１２５の出力から固体撮像素子１３１の表面の輝度を間接的に知覚することができる。プリント基板１４１の詳細の構成については後に説明する。
【００２５】
ＡＦ測距枠表示装置１６１と、撮像条件及び露出バー表示装置１６２はファインダ内表示装置である。上記撮像条件はＴｖ値、Ａｖ値などであり、撮像条件及び露出バー表示装置１６２は７セグメントＬＥＤによって構成される。
【００２６】
図２は、図１における撮像装置１０１の背面図である。
【００２７】
図２において、表示器１４２は、液晶パネル部、バックライトによって構成され、制御回路２０２によってバックライトの輝度の変更が可能である。表示器１４２に表示される内容には、撮像装置１０１の設定を選択するメニュー画面や撮像した画像の再生画面などがある。
【００２８】
レリーズボタン１５１はボタンの押下げ位置により、撮像準備状態（ＳＷ１）と撮像開始（ＳＷ２）の２つの状態をもつ。操作部１５２は、複数のボタンによって構成され、それぞれ異なる機能を持つ。例えば、表示器１４２のＯＮ／ＯＦＦの制御ボタン、メニュー画面での機能選択ボタン、ライブビュー撮像開始ボタン、画像再生画面で機能選択ボタン及び画像選択ボタン等がある。
【００２９】
操作部１５３は、操作部１５２以外の操作部であり、ダイアル、十字ボタン等である。その機能は操作部１５２と同様、メニュー画面での機能選択や画像再生画面で機能選択及び画像選択に使用する。
【００３０】
図３は、図１における撮像装置１０１及び撮像レンズ１０３の電気的構成を示す図である。
【００３１】
図３において、プリント基板１４１には、撮像装置１０１の動作を主として制御する制御回路２０２が搭載されている。さらに、プリント基板１４１には、演算処理回路２０３と、生成された画像データを一時的に保存する記憶回路２０４が搭載されている。演算処理回路２０３は、固体撮像素子１３１に蓄積された電気信号から画像データを生成したり、撮像した画像を表示器１４２に表示するための信号処理をしたりする。
【００３２】
駆動回路２１１は、固体撮像素子１３１を正に露光させる為にフォーカルプレンシャッタ１２４の開閉制御や、ハーフミラー１２１及びサブミラー１２２のアップ／ダウンの制御を行う。
【００３３】
スイッチ回路２１２は、図２のレリーズボタン１５１や、操作部１５３等のスイッチである。
【００３４】
操作検出回路２１３は、図２の操作部１５２，１５３等、撮像装置１０１に設けられたダイアルを含む多数の操作部材の信号を制御回路２０２に伝達する。
【００３５】
電源回路２２１は、電池２２２の電圧を、撮像装置１０１を構成する各回路ユニットが必要とする電圧に変換して供給する電源回路である。
【００３６】
電子回路基板１０４は撮像レンズ１０３の電子回路基板で、レンズの動作を主として制御する制御回路２５１が搭載されている。制御回路２５１の機能としては、撮像装置１０１の制御回路２０２との通信制御、レンズ駆動回路２５３と絞り駆動回路２５４との動作制御、及び操作検出回路２５２からの検出信号の受信などがある。
【００３７】
レンズ駆動回路２５３は結像光学系を駆動する駆動回路である。また、絞り駆動回路２５４は絞り機構を駆動する駆動回路である。
【００３８】
操作検出回路２５２は、レンズ側の設定スイッチやボタンなどのメカ部材と、それらの操作を検出する検出回路などによって構成される。特に、本実施の形態ではティルトレンズの撮像面に対する光軸角度や光軸周りの回転角度は、操作検出回路２５２によって検出される。
【００３９】
図４は、ティルトレンズ操作例を示す図である。図４（Ａ）は、撮像面に対する光軸角度を水平方向に変化させた操作例を示している。図４（Ｂ）は、光軸周りの回転角度を変化させた操作例を示している。図４（Ｃ）は、光軸周りの回転角度を４５°変化させた上で、撮像面に対する光軸角度を変化させた操作例を示している。
【００４０】
一般に、ティルトレンズでは、撮像面に対する光軸角度と、光軸周りの回転角度の２種類の角度を調整できる。
【００４１】
図４（Ａ）に示されるように、撮像面に対する光軸角度は、撮像面に垂直な一つの面に沿って一方向にのみ変化するものが一般的である。ティルトレンズでは、この光軸角度が変化する方向に関連して合焦する範囲が変化するという特徴がある。
【００４２】
図４（Ｂ）に示されるように、光軸周りの回転角度を定義する。そして図４（Ａ）のように光軸角度が変化する方向が撮像装置の水平方向と一致するときを光軸周りの回転角度０°とする。
【００４３】
図４（Ｃ）に示されるように、光軸周りの回転角度に応じて、撮像面に対する光軸角度が変化する方向が変わる。
【００４４】
図５は、構図をアシストするライン表示例を説明するための図である。本実施の形態では、構図をアシストするライン表示として、格子状のグリッドラインを表示する。このグリッドラインは、スルー画像に重畳して表示される。図５（Ａ）は、撮像装置１０１及び撮像レンズ１０３と被写体を示す。図５（Ｂ）は、光軸周りの回転角度が０°の場合の構図をアシストする為のライン表示例を示す。図５（Ｃ）は、光軸周りの回転角度が４５°の場合の構図をアシストする為のライン表示例を示す。
【００４５】
制御回路２０２は、光軸周りの回転角度に応じて、構図をアシストする為のラインを回転させて表示する。これにより、ピントが合う範囲が変化する方向と構図をアシストする為のラインの横軸が変化する方向が一致する為、構図決定が容易になる。
【００４６】
なお、図５では、グリッドラインを例としているが、グリッドライン以外のラインでもよい。
【００４７】
まず、図５（Ａ）に示されるように、被写体は奥行きのあるものとなっている。図５（Ｂ）において、光軸周りの回転角度が０°であるため、光軸角度は矢印４０１に示す方向に変化する。そのため、光軸角度を変化させると、画面４０２の範囲４０３に示すピントの合う範囲が水平方向に変化する。
【００４８】
具体的には、以下のようにピントの合う範囲が変化する。図５（Ａ）のように被写体が並んでいる状態（撮像装置１０１の背面から見て左側の被写体が近く、右側の被写体が遠くなるように並んでいる状態）だと、以下のようになる。撮像レンズ１０３の被写体側先端を固定した上で、撮像レンズ１０３が撮像装置１０１の背面から見て右にティルトするように撮像装置１０１を動かした場合は、ピントが合う範囲４０３は内側にシフトして狭くなる。逆に、撮像レンズ１０３が撮像装置１０１の背面から見て左にティルトするように撮像装置１０１を動かした場合は、ピントが合う範囲４０３は外側にシフトして広くなる。そこで、本実施の形態では、ピントの合う範囲がシフトする方向と直交するライン（画面４０２の縦方向のライン）と、ピントの合う範囲がシフトする方向に平行なライン（画面４０２の横方向のライン）とを表示することで、構図をアシストするためのラインを表示している。
【００４９】
このように、図５（Ｂ）の場合は、画面４０２に示すように、撮像装置１０１の水平方向と構図をアシストする為のラインの横軸が一致するように表示する。
【００５０】
図５（Ｃ）のとき、光軸角度は矢印４１１に示す方向に変化するため、ピントの合う範囲も範囲４１３に示すように水平方向に対し４５°の角度となる方向を一要素として変化する。このような場合は、画面４１２に示すように、撮像装置１０１の水平方向に対して構図をアシストする為のラインが４５°の角度となるように回転させて表示させる。つまり、画面４１２において、ピントの合う範囲がシフトする方向と直交するラインと、ピントの合う範囲がシフトする方向に平行なラインは、それぞれ、画面４０２の場合よりも４５°傾いた状態で表示されている。
【００５１】
このように本実施の形態では、ピントの合う範囲がシフトする方向と直交するラインと、ピントの合う範囲がシフトする方向に平行なラインを、スルー画像に重畳させて表示させた。しかし、ピントの合う範囲がシフトする方向と直交するラインと、ピントの合う範囲がシフトする方向に平行なラインのいずれか一方のみを表示させてもよい。ただし、ピントの合う範囲がシフトする方向と直交するラインは、ピントの合う範囲と平行なラインとなるので、表示させたほうが望ましい。
【００５２】
図６は、撮像装置１０１及び撮像レンズ１０３により実行される制御処理の手順を示すシーケンス図である。
【００５３】
なお、この制御処理は、撮像装置１０１の制御回路２０２及び演算処理回路２０３と、撮像レンズ１０３の制御回路２５１とにより実行される。また、このシーケンス図では、撮像レンズ１０３を単にレンズと表現し、撮像装置１０１を単にカメラと表現している。
【００５４】
図６において、撮像レンズ１０３が装着されたか否か判別し（ステップＳ５０１）、撮像レンズ１０３が装着されたとき（ステップＳ５０１でＹＥＳ）、撮像装置１０１側にレンズ情報を送信する（ステップＳ５０４）。このレンズ情報の一例としてレンズ仕様、レンズ種類、絞り情報、距離情報、撮像面に対する光軸角度や光軸周りの回転角度などが挙げられる。本実施の形態において、レンズ情報は、ティルトレンズにおける撮像面に対する光軸角度、及び光軸周りの回転角度の少なくとも一方を示すものとする。
【００５５】
一方、撮像レンズ１０３が装着されなかったとき（ステップＳ５０１でＮＯ）、撮像面に対する光軸角度が変更されたか否か判別し（ステップＳ５０２）、撮像面に対する光軸角度が変更されたとき（ステップＳ５０２でＹＥＳ）、上記ステップＳ５０４に進む。
【００５６】
一方、撮像面に対する光軸角度が変更されなかったとき（ステップＳ５０２でＮＯ）、光軸周りの回転角度が変更されたか否か判別し（ステップＳ５０３）、光軸周りの回転角度が変更されたとき（ステップＳ５０３でＹＥＳ）、上記ステップＳ５０４に進む。光軸周りの回転角度が変更されなかったとき（ステップＳ５０３でＮＯ）、再びステップＳ５０１に戻る。
【００５７】
以上が撮像レンズ１０３による制御処理である。一方、撮像装置１０１では、レンズ情報を受信し（ステップＳ５１１）、受信したレンズ情報を記憶回路２０４のような記憶装置に保存して（ステップＳ５１２）、ステップＳ５１１に戻る。上記ステップＳ５１１は、ティルトレンズにおける撮像面に対する光軸角度、及び光軸周りの回転角度の少なくとも一方を示すレンズ情報を取得する取得手段に対応する。
【００５８】
このように、撮像レンズ１０３から撮像装置１０１にレンズ情報が送信される例を示したが、撮像レンズ１０３の装着や撮像レンズ１０３の設定変更を契機としてレンズ情報を撮像装置１０１に送信することができれば、上述する制御処理に限定されるものではない。
【００５９】
図７は、撮像装置１０１により実行される表示処理の手順を示すフローチャートである。
【００６０】
図７において、撮像者によりライブビューのスタートが指示されると（ステップＳ６０１でＹＥＳ）、上述した記憶装置からレンズ情報を取得する。また、このとき表示器１４２でのスルー画像の表示を開始する。なお、ライブビューのスタートの指示は、例えば操作部１５２で対応するボタンを撮像者が押下することにより行われる。
【００６１】
次いで、レンズ情報からティルトレンズの光軸周りの角度情報をもとに、構図をアシストする為のラインの表示角度を変更し（ステップＳ６０３）、そのラインを表示する（ステップＳ６０４）。ここでは、スルー画像に重畳してラインが表示される。ここでは、光軸周りの角度情報を用いているが、撮像面に対する光軸角度の場合も、ピントが合う範囲が変化する方向を示すラインを、被写体を示す画像に重畳して表示する。上記ステップＳ６０４は、取得されたレンズ情報に応じて、ピントが合う範囲が変化する方向を示すラインを、被写体を示す画像に重畳して表示するように表示器１４２を制御する制御手段に対応する。
【００６２】
次いで、撮像者によりライブビューのストップが指示されたか否か判別し（ステップＳ６０５）、ストップが指示されたとき（ステップＳ６０５でＹＥＳ）、本処理を終了する。このとき、表示器１４２での表示も終了する。一方、ストップが指示されないとき（ステップＳ６０５でＮＯ）、ステップＳ６０２に戻る。このステップＳ６０２に戻る場合は、一定の周期でＳ６０２〜６０５の処理を繰り返すこととなる。
【００６３】
上述した制御処理及び表示処理を実施することで、ティルトレンズ使用時の構図をアシストする為のライン表示に光軸周りの回転角度の情報が反映されることとなる。その結果、構図の設定が容易になる。
【００６４】
図６，７の処理によれば、ティルトレンズにおける撮像面に対する光軸角度、及び光軸周りの回転角度の少なくとも一方を示すレンズ情報を取得する（ステップＳ５１１）。そして、取得されたレンズ情報に応じて、ピントが合う範囲が変化する方向を示すラインを、被写体を示す画像に重畳して表示するように表示器１４２を制御する（ステップＳ６０４）。その結果、ティルトレンズが装着可能な撮像装置において撮像者が容易に構図を決定することを可能とすることができる。
【００６５】
なお、上述した実施の形態におけるライン表示例は、図５に示すものに限定されない。
【００６６】
図８は、構図をアシストする他のライン表示例を説明するための図である。
【００６７】
図８に示されるように、撮像装置１０１に対して水平方向の構図をアシストする為のライン７０１と、光軸周りの回転角度に応じた構図をアシストする為のライン７０２の両方を同時に表示するようにしてもよい。すなわち、撮像装置１０１に対して水平方向を示すラインをさらに表示するようにしてもよい。図８では回転角度が４５°の場合の例を示している。
【００６８】
撮像レンズ１０３で光軸周りの回転角度が変更されたとき、水平方向の構図をアシストする為のラインはその表示が変わらないが、光軸周りの回転角度に応じた構図をアシストする為のラインが、その回転角度を変更して表示される。
【００６９】
上記のように２種類の構図をアシストする為のラインを表示するにあたり、それぞれの構図をアシストする為のラインを識別できるように、表示内容を変えてもよい。例えば、水平方向の構図をアシストする為のラインは破線にし、光軸周りの回転角度に応じた構図をアシストする為のラインを実線にする。または、水平方向の構図をアシストする為のラインの表示色と光軸周りの回転角度に応じた構図をアシストする為のラインの表示色とを変えるようにしてもよい。
【００７０】
また、上述の実施の形態では、ライブビュー（スルー画像）の表示時に光軸周りの回転角度に応じた構図をアシストする為のラインを表示させた。しかし、ライブビュー表示時だけでなく、レリーズボタン押下に応じて撮影され、不図示のメモリカード等の外部記録媒体に記録する画像を確認するための画像の確認表示時に、上述のようなラインを画像に重畳させて表示してもよい。
【００７１】
以上、本発明の好ましい実施の形態について説明したが、本発明はこれらの実施の形態に限定されず、その要旨の範囲内で種々の変形及び変更が可能である。
【００７２】
上述した本実施の形態により、構図決定の際に一般的な基準となる水平方向の構図をアシストする為のラインが表示される。さらに、撮像面に対する光軸角度設定の際に基準となる光軸周りの回転角度に応じた構図をアシストする為のラインが表示されるので両方のラインを活用して構図を決定することができる。その結果、構図設定の際の利便性を向上させることができる。
【００７３】
（他の実施の形態）
上述の実施の形態では、光軸周りの回転角度によってラインの表示が決定されるため、光軸周りの回転が一定である場合は、常に決められた角度でラインが表示されていた。そして、スルー画像に重ねて表示される格子状のラインの１辺は、光軸周りの回転角度の分だけ回転されて表示されるように構成されている。しかし、構図アシストのためのラインを、表示器１４２の表示画面に対して光軸周りの回転角度の分だけ回転させて表示させるだけでなく、構図アシストのためのラインを回転させずに、スルー画像のほうを回転させて表示してもよい。
【００７４】
例えば、拡大表示を指示する操作がユーザから入力された場合には、スルー画像の一部領域を拡大して表示するとともに、光軸周りの回転角度分だけスルー画像を回転させて表示するようにしてもよい。このとき、表示されるラインは、スルー画像の表示画面と平行になるように表示される。撮像面に対する光軸角度を変化させた場合、ピントの合う範囲は、表示される画像と平行な方向、または、垂直な方向に沿って変化するので、合焦する範囲を中心にスルー画像を確認することができる。また、光軸周りの回転角度に合わせてスルー画像を回転、拡大して表示する際には、固体撮像素子の対応する位置のデータを読み出して表示させる。通常は、固体撮像素子のデータは水平または垂直方向に読み出される。しかし、光軸周りの回転角度が０°ではない、つまり、光軸角度が変化する方向が撮像装置の水平方向とならないように設定されている場合は、固体撮像素子からのデータの読み出しは、光軸周りの回転角度の角度に合わせて、斜めに読み出されることになる。
【００７５】
また、本発明は、以下の処理を実行することによっても実現される。即ち、上述した実施の形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００７６】
１０１  撮像装置
１０２  マウント機構
１０３  撮像レンズ
１０４  電子回路基板
１２５  測光部
１３１  固体撮像素子
１４１  プリント基板
１４２  表示器
１５１  レリーズボタン
１５２，１５３  操作部
１６１  ＡＦ測距枠表示装置
１６２  撮像条件及び露出バー表示装置
２０２，２５１  制御回路
２０３  演算処理回路
２０４  記憶回路
２１２  スイッチ回路
２１３，２５２  操作検出回路
２５３  レンズ駆動回路
２５４  絞り駆動回路
【図１】
0005804882.tif 000002
【図２】
0005804882.tif 000003
【図３】
0005804882.tif 000004
【図４】
0005804882.tif 000005
【図５】
0005804882.tif 000006
【図６】
0005804882.tif 000007
【図７】
0005804882.tif 000008
【図８】
0005804882.tif 000009